(57)【要約】【課題】操作画面がキー操作毎に切り替わらない画像処理装置の操作において、キー操作されたことをそのキーの操作中に操作者に認識させることが可能な画像処理装置を提供する。【解決手段】画像処理装置１は、操作画面５７が表示されるタッチパネル４５と、複数のキーに共通に設けられた発光部２７と、操作画面５７がキー操作毎に切り替わらないキー操作がされた場合、発光部２７の状態を切り替える制御をキー操作毎に実行する第１の制御部（ＣＰＵ３、ＲＯＭ１７及びＲＡＭ１９）と、を備える。【選択図】図３
2008288641.tif 000002
【特許請求の範囲】
【請求項１】
コピー、ファクシミリ、スキャナ及びプリンタの少なくとも一つの機能を有する画像処理装置であって、
複数のキーを含む操作部と、
操作画面が表示される表示部と、
前記複数のキーに共通に設けられた発光部と、
前記表示部に表示される操作画面がキー操作毎に切り替わらないキー操作がされた場合、前記発光部の状態を切り替える制御をキー操作毎に実行する第１の制御部と、を備える
ことを特徴とする画像処理装置。
【請求項２】
キー操作されてから次のキー操作の受付け開始前にキー操作がされた場合、前記受付け開始前のキー操作が受付けられなかったことが報知される
ことを特徴とする請求項１に記載の画像処理装置。
【請求項３】
所定の二つ以上のキーの同時操作が受付けられる前記画像処理装置の操作において、前記所定の二つ以上のキーが同時操作された場合、前記発光部の状態を切り替える制御を実行して、前記第１の制御部で実行される制御の場合と異なる前記発光部の状態にする第２の制御部を備える
ことを特徴とする請求項１又は２に記載の画像処理装置。
【請求項４】
前記所定の二つ以上のキーと異なる組合せのキーが同時操作された場合、前記異なる組合せのキーの同時操作が受付けられなかったことが報知される
ことを特徴とする請求項３に記載の画像処理装置。
【請求項５】
前記表示部に表示される操作画面がキー操作毎に切り替わる前記画像処理装置の操作がされる場合、前記第１の制御部は前記発光部の消灯状態を継続する制御を実行する
ことを特徴とする請求項１〜４のいずれか一項に記載の画像処理装置。
【発明の詳細な説明】
【技術分野】
【０００１】
本発明は、コピー、ファクシミリ、スキャナ及びプリンタの少なくとも一つの機能を有する画像処理装置に関する。
【背景技術】
【０００２】
画像処理装置の一種であるファクシミリ装置には、テンキーを構成する１２個のキーのそれぞれに対応させて発光素子を設け、キー操作するとそのキーに対応する発光素子を発光させて、そのキーが操作されたことを認識させる機能を有するものがある（例えば特許文献１参照）。
【特許文献１】特開平８−１２５７２９号公報（段落００１６、図５）
【発明の開示】
【発明が解決しようとする課題】
【０００３】
ファクシミリ装置等の画像処理装置には表示部が設けられており、そこには画像処理装置の現在の状態や各種の設定内容等を示す操作画面が表示される。操作者は、操作画面を見ながらキー操作することによって画像処理装置を操作する。
【０００４】
画像処理装置の操作には、キー操作毎に操作画面が切り替わらない操作（つまり、操作画面の切り替えにキー操作が二回以上必要な操作）がある。例えば、「＊０９」を入力して、画像処理装置で実行されたコピー枚数の総数を示す操作画面を表示させる操作が、これに該当する。このような操作では、キー操作毎に操作画面が切り替わる操作に比べて、操作回数が増えるためキー操作のミスを起こし易い。
【０００５】
キー操作のミスは、主に、間違って別の操作キーを操作したことによって起こる。手の指の感覚が鈍い体質のために操作キーを操作したつもりでも、実際には操作キーに触れていなかったり、触れていても押す力が足りなかったりして、キー操作のミスを起こすこともある。
【０００６】
キー操作が速すぎてそのキーの入力が受付けられなかったことが、キー操作のミスの原因になることもある。例えば、上記の「＊０９」を入力する操作で、キー操作が速すぎて、テンキーの「＊」の操作と「９」の操作との間にある「０」の操作が受け付けられないことがある。
【０００７】
操作画面がキー操作毎に切り替わらない操作では、たとえ、キー操作の内容（つまり、入力内容）が操作画面に表示されるようにしても、一般に、操作者はキー操作に集中しており、キー操作中に入力内容を見ていない。したがって、キー操作の終了後に操作画面を見て、操作画面が切り替わっていなかったり、意図しない操作画面に切り替わっていたりすることによって、キー操作のミスに気づくことが多い。
【０００８】
キー操作毎に音を発生させれば、キー操作されたことをそのキー操作中にユーザに認識させることができる。これによれば、キー操作の回数が少なかったり、逆に多かったりすれば、音の発生回数によってキー操作中にキー操作のミスをしたことが分かる。しかし、静かな環境が求められる状況下では、キー操作毎に音を発生することは望まれない。
【０００９】
本発明の目的は、操作画面がキー操作毎に切り替わらない画像処理装置の操作において、キー操作されたことをそのキーの操作中に操作者に認識させることが可能な画像処理装置を提供することである。
【課題を解決するための手段】
【００１０】
本発明に係る画像処理装置は、コピー、ファクシミリ、スキャナ及びプリンタの少なくとも一つの機能を有する画像処理装置であって、複数のキーを含む操作部と、操作画面が表示される表示部と、前記複数のキーに共通に設けられた発光部と、前記表示部に表示される操作画面がキー操作毎に切り替わらないキー操作がされた場合、前記発光部の状態を切り替える制御をキー操作毎に実行する第１の制御部と、を備える。
【００１１】
本発明に係る画像処理装置において、キー操作されてから次のキー操作の受付け開始前にキー操作がされた場合、前記受付け開始前のキー操作が受付けられなかったことが報知される、ようにすることができる。
【００１２】
これによれば、キー操作が受付けられなかったことを操作者に知らせることができる。
【００１３】
本発明に係る画像処理装置では、所定の二つ以上のキーの同時操作が受付けられる前記画像処理装置の操作において、前記所定の二つ以上のキーが同時操作された場合、前記発光部の状態を切り替える制御を実行して、前記第１の制御部で実行される制御の場合と異なる前記発光部の状態にする第２の制御部を備える、ようにすることができる。
【００１４】
これによれば、所定の二つ以上のキーの同時操作を、キー操作毎の場合と区別して操作者に認識させることができる。
【００１５】
本発明に係る画像処理装置において、前記所定の二つ以上のキーと異なる組合せのキーが同時操作された場合、前記異なる組合せのキーの同時操作が受付けられなかったことが報知される、ようにすることができる。
【００１６】
これによれば、所定の二つ以上のキーと異なる組合せのキーが同時操作された場合、前記異なる組合せのキーの同時操作が受付けられなかったことを操作者に知らせることができる。
【００１７】
本発明に係る画像処理装置において、前記表示部に表示される操作画面がキー操作毎に切り替わる前記画像処理装置の操作がされる場合、前記第１の制御部は前記発光部の消灯状態を継続する制御を実行する、ようにすることができる。
【００１８】
これによれば、画像処理装置の消費電力を下げることができる。
【発明の効果】
【００１９】
本発明に係る画像処理装置によれば、操作画面がキー操作毎に切り替わらない操作がされる場合、キー操作されると発光部の状態を切り替える制御をキー操作毎に実行される。したがって、キー操作中に操作画面が切り替わらなくても、キー操作されたことをそのキー操作中に操作者に認識させることができる。また、音ではなく、発光部の状態でキー操作を認識させるので、静かな環境が求められる状況下でも画像処理装置を利用することができる。
【発明を実施するための最良の形態】
【００２０】
本発明の実施形態について図面を用いて説明する。図１は、本実施形態に係る画像処理装置１のハードウェア構成の一例を示すブロック図である。画像処理装置１は複合機であり、コピー、ファクシミリ、スキャナ及びプリンタの機能を有する。画像処理装置１としては、複合機に限らず、コピー、ファクシミリ、スキャナ及びプリンタの少なくとも一つの機能を有する装置であればよい。
【００２１】
画像処理装置１は、ＣＰＵ３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５、発光部２７等が相互にバス２９で接続された構成を有する。ＣＰＵ３は、画像処理装置１を構成する上記ハードウェアを制御すると共に画像処理装置１の動作に必要なソフトウェアを実行する。
【００２２】
画像読取部５は、ＣＣＤ等によって原稿（文字、図、写真等）を読み取って画像データとして出力する。画像記録部７は、電子写真方式等のプリンタであり、画像読取部５から出力された画像データやファクシミリ通信により受信した別のファクシミリ装置からの画像データをプリントアウトする。
【００２３】
表示部９は、画像処理装置１の操作画面が表示される。操作画面には、画像処理装置１の現在の状態、各種設定内容等が示される。表示部９は、ＬＣＤ、ＣＲＴ、タッチパネル等で実現される。操作部１１は、画像処理装置１を操作するための複数のキー（テンキー、スタートキー、リセットキー、クリアキー、各種のファンクションキー等）を備える。
【００２４】
モデム１３は、通常のファクシミリ通信用のファクシミリモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００２５】
ＲＯＭ１７は、フラッシュメモリ等により実現されており、画像処理装置１の動作に必要なソフトウェアを記憶している。ＲＡＭ１９は、ＳＲＡＭ、ＤＲＡＭ等により実現されており、ソフトウェアの実行時に発生するデータを一時的に記憶したり、アプリケーションソフト等を記憶したりする。
【００２６】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、画像処理装置１がＬＡＮと通信可能に接続するインターフェースである。
【００２７】
発光部２７は、発光ダイオード等の発光素子により実現される。発光部２７は、操作画面がキー操作毎に切り替わらない操作がされる場合、操作者にキー操作を認識させる機能を有する。発光部２７については後で詳細に説明する。
【００２８】
図２は、画像処理装置１に備えられる操作パネル４１の一例の平面図である。操作パネル４１は、モード選択キー４３、タッチパネル４５、テンキー４７、スタートキー４９、リセットキー５１、クリアキー５３、機能キー５５等を備える。これらは図１の操作部１１により実現される。各キーは、通常の画像処理装置に備えられるそれらの名称のキーと同様の目的で使用される。例えば、モード選択キー４３は、コピー、プリンタ、スキャナ、ファクシミリのモードを切り替える際に操作する。
【００２９】
タッチパネル４５は、図１の表示部９としての機能も有する。図２のタッチパネル４５には、コピーモードのメニューを示す操作画面５７が表示されている。これは、コピーモードの初期画面であり、コピーを選択するモード選択キー４３を操作すると表示される。メニューには、画質等の設定キー５９が含まれる。
【００３０】
操作パネル４１には、発光部２７が設けられている。発光部２７は、操作部１１の各キーのそれぞれに対応して設けられているのではなく、操作パネル４１の全部のキー（モード選択キー４３、テンキー４７、スタートキー４９、リセットキー５１、クリアキー５３、機能キー５５、設定キー５９等）、つまり複数のキーに共通に設けられている。
【００３１】
発光部２７は、キーを一つずつ単独に操作したときに交互に点灯する青ランプ６１及び赤ランプ６３と、所定の二つ以上のキーを同時操作したときに点灯する黄ランプ６５で構成される。これらのランプは、操作者にキー操作されたことをそのキー操作中に認識させるものであり、したがって、色は青、赤、黄に限定されず、また異なる色である必要はなく同じ色でもよい。
【００３２】
ところで、モード選択キー４３を操作すると、操作画面５７は対応するモードの初期画面に切り替わる。例えば、コピーモードのモード選択キー４３を操作すると、操作画面５７はコピーモードの初期画面に切り替わる。このようなキー操作は、キー操作毎に操作画面５７が切り替わる操作である。一方、キー操作には、操作画面５７がキー操作毎に切り替わらない操作もある。これについて、具体例を挙げて詳細に説明する。
【００３３】
図３は、具体例１を説明する操作パネル４１の平面図である。図２に示すタッチパネル４５の状態で操作者が機能キー５５を操作すると、操作画面５７は図３（Ａ）に示す操作画面５７に切り替わる。この操作画面５７は、機能コードの入力画面である。機能キー５５の操作は、キー操作毎に操作画面５７が切り替わる操作である。
【００３４】
機能コードの入力画面に機能コードを入力する。機能コードとしては、画像処理装置１のライフモニタ（例えば、画像処理装置１で実行されたコピー枚数の総数）、画像処理装置１の各種設定（例えば、キー操作音のオン／オフ）、ユーザデータの初期化、ファームウェアのアップデート等のコードがある。ここでは、画像処理装置１で実行されたコピー枚数の総数で説明する。
【００３５】
図３（Ｂ）に示すように、操作者がテンキー４７を操作して、上記コピー枚数の総数を表示させる機能コード（例えば、「＊０９」）を操作画面５７に入力すると、図３（Ｃ）に示すように操作画面５７が切り替わり、コピー枚数の総数を示す操作画面５７がタッチパネル４５に表示される。
【００３６】
具体例１では、テンキー４７の「＊」及び「０」の操作では操作画面５７が切り替わらず、最後の「９」の操作で操作画面５７が切り替わる（つまり、三桁の数字等を入力することにより操作画面５７が切り替わる）。したがって、機能コードの入力は、操作画面５７がキー操作毎に切り替わらない操作である。
【００３７】
図４は、具体例２を説明する操作パネル４１の平面図である。図４（Ａ）のタッチパネル４５に表示される操作画面５７は、ファクシミリ通信が可能なことを示す画面である。操作者がファクシミリ送信する原稿をセットし、テンキー４７を操作してファクシミリ番号を入力する。そして、スタートキー４９を操作すると、図４（Ｂ）に示すように、操作画面５７が、原稿読み取り中を示す操作画面５７に切り替わる。
【００３８】
具体例２では、テンキー４７の操作によるファクシミリ番号の入力では操作画面５７が切り替わらず、最後のスタートキー４９の操作で操作画面５７が切り替わる。したがって、テンキー４７の操作によりファクシミリ番号を入力してファクシミリ送信する操作は、操作画面５７がキー操作毎に切り替わらない操作である。
【００３９】
次に、本実施形態に係る画像処理装置１の動作を説明する。この動作については、動作１と動作２に分けられる。
（動作１）
動作１では、操作画面５７がキー操作毎に切り替わらないキー操作がされた場合、発光部２７の状態を切り替える制御をキー操作毎に実行する。動作１を、図２、図３及び図５を用いて説明する。図５は、動作１のフローチャートである。
【００４０】
上記の通り、機能キー５５のキー操作は、操作画面５７がキー操作毎に切り替わる操作であり、三桁の機能コードを入力するためのキー操作は、操作画面５７がキー操作毎に切り替わらない操作である。図２に示す操作画面５７の状態で機能キー５５を操作すると、操作画面５７は、図３（Ａ）に示す機能コードの入力画面となる操作画面５７に切り替わる。機能キー５５のキー操作では発光部２７の状態が変わらず、青ランプ６１、赤ランプ６３及び黄ランプ６５は消灯状態のままである。
【００４１】
テンキー４７の「＊」がキー操作されると（ステップＳ１）、青ランプ６１が消灯状態から点灯状態にされる（ステップＳ３）。これにより、操作者に「＊」が操作されたことを認識させることができる。最初に点灯するランプは、青ランプ６１でなく赤ランプ６３でもよい。
【００４２】
キー操作が終了すると（ここでは、テンキー４７の「＊」を押すのを止めると）、ステップＳ５でＹｅｓとなり、青ランプ６１が点灯状態から消灯状態にされる（ステップＳ７）。次に、操作画面５７が切り替わったか判断される（ステップＳ９）。「＊」の操作では、操作画面５７が切り替わらないので、ステップＳ９でＮｏとなる。ステップＳ１５において、キー操作の受付け開始前にキー操作がされたかを監視するために、タイマーをスタートさせる（ステップＳ１１）。
【００４３】
次のキー操作がされたか判断される（ステップＳ１３）。ここでは、テンキー４７の「０」が操作されたか判断される。操作されないと（ステップＳ１３でＮｏ）、ステップＳ１３が繰り返される。図５のフローチャートでは説明を省略しているが、キー操作されてから次のキー操作がされずに所定時間（例えば２分）が経過すると、リセットして、操作画面５７を初期画面（コピーモードでの操作ではコピーモードの初期画面）に切り替える処理が実行される。
【００４４】
次のキー操作がされると（ステップＳ１３でＹｅｓ）、そのキー操作の受付けが開始されているか判断される（ステップＳ１５）。キー操作されてから所定時間（例えば、１０〜２０ｍｓ）が経過して、次のキー操作の受付けが開始される。したがって、キー操作が速すぎて、キー操作の受付け開始前にキー操作がされると、そのキー操作は無効となり、そのキー操作での入力はされていないことになる。
【００４５】
キー操作の受付け開始前であれば（ステップＳ１５でＮｏ）、ステップＳ１３での次のキー操作（ここでは「０」の操作）が受付けられなかったことが操作者に報知され（ステップＳ１７）、ステップＳ１３に戻る。
【００４６】
ステップＳ１７での報知は、例えば、ランプ６１，６３，６５と別に設けたランプ（図示せず）を消灯状態から点灯状態にすることにより実行される。キー操作の受付け開始前にキー操作がされることは、稀にしか起こらない。したがって、静かな環境が求められる状況下で画像処理装置１が利用される場合であっても、図示しないスピーカでエラー音を鳴らして報知するようにしてもよい。
【００４７】
一方、キー操作の受付けが開始されていると（ステップＳ１５でＹｅｓ）、ステップＳ１１でスタートさせたタイマーをストップさせる（ステップＳ１９）。そして、前回のキー操作で青ランプ６１が点灯されていたか判断される（ステップＳ２１）。これは、連続してキー操作しても各キー操作を認識しやすくするために  前回のキー操作（テンキー４７の「＊」の操作）と今回のキー操作（テンキー４７の「０」の操作）で異なる色のランプを点灯させるためである。
【００４８】
ステップＳ３で青ランプ６１が点灯されたのでステップＳ２１はＹｅｓとなり、赤ランプ６３が消灯状態から点灯状態にされる（ステップＳ２３）。これにより、操作者にテンキー４７の「０」の操作がされたことを認識させることができる。
【００４９】
キー操作が終了すると（ここでは、テンキー４７の「０」を押すのを止めると）、ステップＳ２５でＹｅｓとなり、赤ランプ６３が点灯状態から消灯状態にされる（ステップＳ２７）。ステップＳ９に戻り、操作画面５７が切り替わるか判断される。テンキー４７の「０」の操作では、操作画面５７が切り替わらないので（ステップＳ９でＮｏ）、ステップＳ１１へ進む。  
【００５０】
ステップＳ１３で、次のキー操作がされたか判断される。ここでは、テンキー４７の「９」が操作されたか判断される。「９」が操作されると、ステップＳ１５及びステップＳ１９の処理がされる。そして、ステップＳ２１で、前回のキー操作で青ランプ６１の点灯が選択されていたか判断される。前回のキー操作（テンキー４７の「０」の操作）で、赤ランプ６３が点灯されたのでステップＳ２１はＮｏとなり、ステップＳ３へ戻り、青ランプ６１が消灯状態から点灯状態にされる。これにより、操作者にテンキー４７の「９」の操作がされたことを認識させることができる。
【００５１】
ステップＳ５及びステップＳ７の処理がされてから、操作画面５７が切り替えられるか判断される（ステップＳ９）。ここでは、「９」の操作がされて、「＊０９」の入力がされたので、図３（Ｃ）に示す操作画面５７に切り替わる。したがって、ステップＳ９でＹｅｓとなり、動作１が終了する。
【００５２】
以上説明したように、本実施形態に係る画像処理装置１の動作１によれば、テンキー４７の「＊」が操作されると青ランプ６１を点灯させ、「０」が操作されると赤ランプ６３を点灯させ、「９」が操作されると青ランプ６１を点灯させている。すなわち、青ランプ６１を消灯状態から点灯状態にして再び消灯状態にする制御と、赤ランプ６３を消灯状態から点灯状態にして再び消灯状態にする制御を、キー操作毎に交互に実行している。
【００５３】
このように、動作１では、操作画面５７がキー操作毎に切り替わらないキー操作がされた場合、発光部２７の状態を切り替える制御をキー操作毎に実行している（この制御は第１の制御部で実行され、第１の制御部はＣＰＵ３、ＲＯＭ１７及びＲＡＭ１９により実現される）。したがって、キー操作中に操作画面５７が切り替わらなくても、キー操作されたことをそのキー操作中に操作者に認識させることができる。また、動作１では、音でなく、青ランプ６１と赤ランプ６３の点灯でキー操作を認識させるので、静かな環境が求められる状況下でも画像処理装置１を利用することができる。
【００５４】
ステップＳ３，Ｓ５，Ｓ７やステップＳ２３，Ｓ２５，Ｓ２７で示すように、キー操作が終了しないと（つまり、キーを押し続けていると）、青ランプ６１や赤ランプ６３の点灯状態を継続させている。したがって、キーを一定時間押し続ける（つまり、長押しする）ことが必要な操作では、一定時間押し続けていることを操作者は視覚的に認識することができる。
【００５５】
動作１では、機能キー５５の操作について、発光部２７の状態を切り替える制御を実行しておらず、発光部２７の青ランプ６１及び赤ランプ６３の消灯状態を継続する制御を実行している。これは、機能キー５５の操作により操作画面５７が切り替わるので、機能キー５５の操作中に機能キー５５が操作されたことを、音を発生させないで操作者に認識させることができるからである。このように、操作画面５７がキー操作毎に切り替わる操作がされる場合、発光部２７の消灯状態を継続する制御を実行するようにすれば、画像処理装置１の消費電力を下げることができる。
【００５６】
キー操作がされた場合、発光部２７の状態を切り替える制御をキー操作毎に実行する例として、青ランプ６１を消灯状態から点灯状態にして再び消灯状態にする制御と、赤ランプ６３を消灯状態から点灯状態にして再び消灯状態にする制御とをキー操作毎に交互に実行する場合で説明した。他の例として、一つのランプを消灯状態から点灯状態に切り替えて再び消灯状態にする制御をキー操作毎に繰り返すようにしてもよい。
【００５７】
具体的に説明すると、テンキー４７の「＊」が操作されると青ランプ６１を消灯状態から点灯状態に切り替えて再び消灯状態にし、「０」が操作されると青ランプ６１を消灯状態から点灯状態に切り替えて再び消灯状態にし、「９」が操作されると青ランプ６１を消灯状態から点灯状態に切り替えて再び消灯状態にするのである。
【００５８】
さらに他の例として、一つのランプの明るさを制御して明るさの大小をキー操作毎に切り替えるようにしてもよい。具体的に説明すると、テンキー４７の「＊」が操作されると青ランプ６１の明るさを大きくし、「０」が操作されると青ランプ６１の明るさを小さくし、「９」が操作されると青ランプ６１の明るさを大きくするのである。
【００５９】
（動作２）
動作２では、所定の二つ以上のキーの同時操作が受付けられる画像処理装置１の操作において、上記所定の二つ以上のキーが同時操作された場合、発光部２７の黄ランプ６５を点灯させ、これにより同時操作されたことをそれらのキー操作中に操作者に認識させている。
【００６０】
所定の二つ以上のキーの同時操作は、例えば、画像処理装置１をメンテナンスする操作画面５７において、その設定内容を変更する場合に実行される。すなわち、マシンパラメータ等のパラメータを示す操作画面５７を表示させて、この操作画面５７の設定内容を変更する際に、所定のキー（例えば、テンキー４７の「♯」）を操作した状態、つまり押した状態で、別の所定のキー（例えば、テンキー４７の数字キー）を操作して、設定内容を変更することがある。また、所定の二つ以上のキーを一定時間押し続けることにより（長押しすることにより）、設定内容の変更を可能にすることがある。これらの操作では、二つ以上のキーが同時操作される。なお、同時操作が受け付けられる所定の二つ以上のキーは、画像処理装置１に予め登録されており、変更することが可能でもよいし、不可能でもよい。
【００６１】
動作２は、図５に示すステップＳ５やステップＳ２５でＮｏ、すなわち、一つのキー操作が終了していないと判断（一つのキーが押され続けていると判断）されると実行される。ステップＳ２９（ステップＳ３１）で別のキー操作がされたか判断され、操作されていないとステップＳ５（ステップＳ２５）に戻る。別のキー操作がされた場合（ステップＳ２９、ステップＳ３１でＹｅｓ）の後の処理は、ステップＳ５とステップＳ２５で同じなので、ステップＳ５の場合で説明する。
【００６２】
図６に示すように、点灯中のランプを消灯する（ステップＳ３３）。ステップＳ３で青ランプ６１を点灯しているので、青ランプ６１を消灯する。ステップＳ１とステップＳ２９で操作したキーが、所定の二つ以上のキーか判断される（ステップＳ３５）。
【００６３】
所定の二つ以上のキーであれば、発光部２７の黄ランプ６５を点灯させる（ステップＳ３７）。これにより、所定の二つ以上のキーの同時操作中に、それらのキーの同時操作を操作者に認識させることができる。
【００６４】
所定の二つ以上のキーの同時操作が終了したか判断される（ステップＳ３９）。同時操作が終了していないと（つまり、所定の二つ以上のキーを押し続けていると）、ステップＳ３９が繰り返される。したがって、黄ランプ６５の点灯状態が継続する。一方、同時操作が終了すると、黄ランプ６５が消灯し（ステップＳ４１）、ステップＳ９に戻る。
【００６５】
ステップ３５で、同時操作されたキーが所定の二つ以上のキーと異なる組合せであると判断されると、同時操作が受け付けられなかったことが操作者に報知される（ステップＳ４３）。報知の仕方はステップＳ１７の報知と同じである。キーの同時操作が終了していないとステップＳ４５が繰り返される。一方、同時操作が終了すると、ステップＳ９に戻る。
【００６６】
動作２では、所定の二つ以上のキーの同時操作が受付けられる画像処理装置１の操作において、所定の二つ以上のキーが同時操作された場合、発光部２７の状態を切り替える制御を実行して、動作１で実行される制御の場合と異なる発光部２７の状態（黄ランプ６５を消灯状態から点灯状態）にしている。したがって、動作２によれば、所定の二つ以上のキーの同時操作を動作１のキー操作と区別して操作者に認識させることができる。なお、動作２での発光部２７の上記制御は第２の制御部で実行され、第２の制御部はＣＰＵ３、ＲＯＭ１７及びＲＡＭ１９により実現される。
【図面の簡単な説明】
【００６７】
【図１】本実施形態に係る画像処理装置のハードウェア構成の一例を示すブロック図である。
【図２】本実施形態に係る画像処理装置に備えられる操作パネルの一例の平面図である。
【図３】操作画面がキー操作毎に切り替わらない操作の具体例１を説明する操作パネルの平面図である。
【図４】同具体例２を説明する操作パネルの平面図である。
【図５】本実施形態に係る画像処理装置の動作１を説明するフローチャートである。
【図６】同動作２を説明するフローチャートである。
【符号の説明】
【００６８】
１・・・画像処理装置、３・・・ＣＰＵ、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・発光部、２９・・・バス、４１・・・操作パネル、４３・・・モード選択キー、４５・・・タッチパネル、４７・・・テンキー、４９・・・スタートキー、５１・・・リセットキー、５３・・・クリアキー、５５・・・機能キー、５７・・・操作画面、５９・・・設定キー、６１・・・青ランプ、６３・・・赤ランプ、６５・・・黄ランプ、Ｌ・・・公衆電話回線
【図１】
2008288641.tif 000003
【図２】
2008288641.tif 000004
【図３】
2008288641.tif 000005
【図４】
2008288641.tif 000006
【図５】
2008288641.tif 000007
【図６】
2008288641.tif 000008